(57)【要約】【課題】簡易な構成により、メインとなる画像を妨げることなく、所望するユーザのみに特定情報を有する画像を提供させることができるとともに、提供する特定情報の画像の表示位置または表示内容を容易に変更することが可能な画像可視化制御システム等を提供すること。【解決手段】画像表示システムＳは、液晶表示装置１００によって第１画像ＩＭ１を表示させるとともに、液晶パネル２００によってこの第１画像ＩＭ１を透過表示させつつ、液晶パネル２００によって人間には判別できない偏光光の旋光度の変化を用いて第１画像ＩＭ１の一部の領域に第２画像ＩＭ２を潜像化させるようになっている。【選択図】図１
2011145550.tif 000002
【特許請求の範囲】
【請求項１】
所定の画像領域を有する第１画像の一部の画像領域の光を用いて第２画像を潜像化させ、第１視覚位置では視覚不能に第２視覚位置では視覚可能に第２画像の可視化制御を行う画像可視化制御システムにおいて、
第１偏光光によって前記第１画像を視覚可能に提供する提供手段の前記第１視覚位置側の面である前面にかつ当該提供手段と前記第１視覚位置の間に形成され、前記第１画像の前記第１偏光光を透過表示しつつ、前記第２画像を潜像化する潜像化手段と、
前記潜像化手段の前記第２視覚位置側の面である前面にかつ当該潜像化手段と前記第２視覚位置の間に形成されるとともに、前面にある前記第２視覚位置から前記第１画像を視覚可能に形成され、前記潜像化された第２画像を可視化して前記第１画像の一部の画像領域に重畳表示させる可視化手段と、
を備え、
前記潜像化手段が、
前記第１偏光光が透過する透過面に前記潜像化された第２画像を形成するための複数の画素からなる潜像形成領域を有し、
所定の画像データに基づいて前記画素毎に当該潜像形成領域に入光する前記第１偏光光の旋光度を調整しつつ、前記第１偏光光の旋光度を調整して得られた第２偏光光によって前記第２画像を潜像化するとともに、
前記可視化手段が、
前記第１偏光光を透過させつつ、前記画素毎に調整された第２偏光光の旋光度に基づいて前記第２偏光光の透過率を制御する可視化用偏光フィルタを有することを特徴とする画像可視化制御システム。
【請求項２】
請求項１に記載の画像可視化制御システムにおいて、
前記潜像化手段が、
最背面に形成される第１透明電極と、
最前面に形成される第２透明電極と、
前記第１透明電極と前記第２透明電極に狭持される一対の第１配向層及び第２配向層と、
前記第１配向層と前記第２配向層に狭持されるとともに、前記潜像形成領域に第２画像を潜像化するための液晶層と、
を有し、
前記液晶層が、前記画像データに基づく前記第１透明電極及び第２透明電極の制御に従って、前記潜像形成領域を透過する前記第１偏光光の旋光度を画素毎に調整し、前記第２画像を第２偏光光によって潜像化する画像可視化制御システム。
【請求項３】
請求項１または２に記載の画像可視化制御システムにおいて、
前記提供手段を更に備え、
前記提供手段が、背面から入光された光を前記第１偏光光に偏光するとともに、前記画像データとは異なる画像データに基づいて、前面に形成された所定の画像表示領域を構成する画素毎に、前記第１偏光光の透過率を制御し、前記画像表示領域に前記第１画像を表示する液晶表示パネルによって形成される画像可視化制御システム。
【請求項４】
請求項３に記載の画像可視化制御システムにおいて、
前記液晶表示パネルの背面に形成され、当該液晶表示パネルの背面に前記第１偏光光の基になる光を照射する照射手段を更に備える画像可視化制御システム。
【請求項５】
請求項１または２に記載の画像可視化制御システムにおいて、
前記提供手段を更に備え、
前記提供手段が、背面から入光される自然光を偏光して第１偏光光として前面から出力するとともに、背面にある所定領域の実景を、当該前面から前記第１画像として視覚可能に形成する自然光用偏光フィルタによって形成される画像可視化制御システム。
【請求項６】
請求項１または２に記載の画像可視化制御システムにおいて、
前記提供手段と、
前記提供手段の背面に形成され、前記提供手段の前面から照射された光を反射させて前記提供手段の背面に入光させる反射手段と、
を更に備え、
前記提供手段が、背面から入光される反射光を偏光して第１偏光光として前記潜像化手段に提供する画像可視化制御システム。
【請求項７】
請求項１乃至６の何れか一項に記載の画像可視化制御システムにおいて、
前記可視化手段が、前記第２視覚位置から撮像する撮像カメラによって形成されるとともに、
前記可視化偏光フィルタが、前記撮像カメラの撮像面に形成される画像可視化制御システム。
【請求項８】
請求項１乃至７の何れか一項に記載の画像可視化制御システムにおいて、
前記潜像化手段が、前記潜像形成領域の前面に、複数の色が前記潜像形成領域の各画素に対応して配色されたカラーフィルタを有し、前記画素毎に調整された前記第１偏光光の旋光度と協働して可視化された際にカラー化される前記第２画像を潜像化する画像可視化制御システム。
【請求項９】
請求項１乃至８の何れか一項に記載の画像可視化制御システムにおいて、
前記第２画像が前記第１画像に表示された情報に関連する情報を有する画像である画像可視化制御システム。
【請求項１０】
請求項１乃至９の何れか一項に記載の画像可視化制御システムにおいて、
前記潜像化手段が、前記透過表示された第１画像を形成するための第１偏光光と前記潜像化された第２画像を形成するための第２偏光光をそれぞれ円偏光に変換する第１の１／４波長板を有するとともに、
前記可視化手段が、前記可視化用偏光フィルタに直線偏光された第１偏光光及び第２偏光光を入光させるために、前記円偏光に変換された第１偏光光及び第２偏光光をそれぞれ直線偏光に変換する第２の１／４波長板を有する画像可視化制御システム。
【請求項１１】
請求項１乃至１０の何れか一項に記載の画像可視化制御システムにおいて、
前記可視化手段が、ユーザによって携帯可能に構成される画像可視化制御システム。
【請求項１２】
所定の画像領域を有する第１画像の一部の画像領域の光を用いて第２画像を潜像化させ、第１視覚位置では視覚不能に第２視覚位置では視覚可能に第２画像の可視化制御を行う画像可視化制御システムに用いるパネルにおいて、
第１偏光光によって前記第１画像を視覚可能に提供する提供手段の前記第１視覚位置側の面である前面にかつ当該提供手段と前記第１視覚位置の間に形成され、前記第１偏光光を透過することによって前記提供手段に表示された第１画像を、前記提供手段と対向する面である背面と反対の面である前面に表示する液晶パネルであって、
最背面に形成される第１透明電極と、
最前面に形成される第２透明電極と、
前記第１透明電極と前記第２透明電極に狭持される一対の第１配向層及び第２配向層と、
前記第１配向層と前記第２配向層に狭持されるとともに、前記第１偏光光が透過する透過面に前記潜像化された第２画像を形成するための複数の画素からなる潜像形成領域を有し、当該潜像形成領域に背面から入光する前記第１偏光光の旋光度を制御する液晶層と、
を備え、
前記液晶パネルの前面にかつ当該液晶パネルと前記第２視覚位置の間に形成されるとともに前面にある前記第２視覚位置から前記第１画像が視覚可能に形成された可視化手段によって、前記第２画像を形成する第２偏光光の旋光度に基づいて当該第２画像を可視化して前記第１画像の一部の画像領域に重畳表示するために、
前記液晶層が、所定の画像データに基づく前記第１透明電極及び第２透明電極の制御に従って、前記潜像形成領域に入光する前記第１偏光光の旋光度を画素毎に調整し、前記第２画像を第２偏光光によって潜像化することを特徴とする液晶パネル。
【発明の詳細な説明】
【技術分野】
【０００１】
本発明は、偏光を利用して画像を可視化制御する技術に関する。
【背景技術】
【０００２】
近年、携帯用電話機などの携帯用通信端末装置の進歩に伴って、街頭に設置された広告の提供方法においては、街頭に設置されたディスプレイ（以下、「街角ディスプレイ」という。）に表示された広告を大衆に視覚させるだけでなく、携帯用通信端末装置を利用して当該広告に関連する付加情報又は付加サービスの提供及び街頭ディスプレイによって直接提供されている情報の取得など、電子機器と組み合わせて又はインターネットなどの他のメディアと融合することによって提供する広告に関する情報（以下、「広告情報」という。）を拡張させたものが普及している。
【０００３】
例えば、携帯用電話機を用いて広告に関する付加情報を提供するシステムとしては、インターネットなどの公衆網回線を利用したものが知られている（例えば、特許文献１）。例えば、このシステムは、インターネット上の固有のアドレスであるＵＲＬ（Ｕｎｉｆｏｒｍ  Ｒｅｓｏｕｒｃｅ  Ｌｏｃａｔｏｒ）を有するサーバ装置に予め商品の機能などを紹介した情報を登録しておくとともに、このＵＲＬの情報をコード化した２次元バーコードを、携帯用電話機にて読み取り可能に広告媒体に印刷し、当該２次元バーコードを携帯用電話機によって取得させつつ、通信回線を介してサーバ装置にアクセスさせて登録された広告情報をユーザに提供するようになっている。
【０００４】
また、最近では、無線技術、通信設備及びそれらの機器の発達とともに、アーケードゲーム機や家庭用ゲーム機と通信を介して遠隔地のユーザのゲーム機とを接続してゲームの対戦を行うものまたはアーケードゲーム機と家庭用ゲーム機を連動させるなどゲーム機能を拡張する技術が普及しつつある。
【０００５】
例えば、ゲーム機能を有する携帯用電話機や通信機能を有する携帯用ゲーム機と連動させるために、２次元バーコードを利用したものが知られている（例えば、特許文献２）。このシステムは、アーケードゲーム機にゲームに関する情報を２次元バーコードによって表示させ、表示させた２次元バーコードをゲーム機能を有する携帯用電話機に読み取らせることによって所定の情報の授受を行うようになっている。
【先行技術文献】
【特許文献】
【０００６】
【特許文献１】特開２００６−０１３９１８号公報
【特許文献２】特開２００８−１３６７５８号公報
【発明の概要】
【発明が解決しようとする課題】
【０００７】
しかしながら、特許文献１又は２に記載されたシステムにあっては、上述のように、携帯用電話機によって取得可能な２次元バーコードを街頭ディスプレイやアーケードゲーム機にユーザに視覚可能に表示させる必要があり、広告又はゲーム内容の外観上の意匠性を損なう場合がある。特に、広告又はゲーム内容については、細部のデザインから全体のバランスに至るまで、表示内容に関しては高いデザイン性が要求されるので、２次元バーコードなど付加情報（以下、「特定情報」ともいう。）を視覚可能に表示するにあたり、他の部分との意匠上のバランスにおいてその形成位置が難しい場合が多い。
【０００８】
本発明は、上記課題を解決するためになされたものであり、その目的は、簡易な構成により、広告またはゲーム内容などのメインの情報を有する画像を妨げることなく、所望するユーザのみに特定情報を有する画像を提供させることができるとともに、提供する特定情報の画像の表示位置または表示内容を容易に変更することが可能な画像可視化制御システム等を提供することにある。
【課題を解決するための手段】
【０００９】
（１）上記課題を解決するため、本発明は、所定の画像領域を有する第１画像の一部の画像領域の光を用いて第２画像を潜像化させ、第１視覚位置では視覚不能に第２視覚位置では視覚可能に第２画像の可視化制御を行う画像可視化制御システムにおいて、第１偏光光によって前記第１画像を視覚可能に提供する提供手段の前記第１視覚位置側の面である前面にかつ当該提供手段と前記第１視覚位置の間に形成され、前記第１画像の前記第１偏光光を透過表示しつつ、前記第２画像を潜像化する潜像化手段と、前記潜像化手段の前記第２視覚位置側の面である前面にかつ当該潜像化手段と前記第２視覚位置の間に形成されるとともに、前面にある前記第２視覚位置から前記第１画像を視覚可能に形成され、前記潜像化された第２画像を可視化して前記第１画像の一部の画像領域に重畳表示させる可視化手段と、を備え、前記潜像化手段が、前記第１偏光光が透過する透過面に前記潜像化された第２画像を形成するための複数の画素からなる潜像形成領域を有し、所定の画像データに基づいて前記画素毎に当該潜像形成領域に入光する前記第１偏光光の旋光度を調整しつつ、前記第１偏光光の旋光度を調整して得られた第２偏光光によって前記第２画像を潜像化するとともに、前記可視化手段が、前記第１偏光光を透過させつつ、前記画素毎に調整された第２偏光光の旋光度に基づいて前記第２偏光光の透過率を制御する可視化用偏光フィルタを有する構成をしている。
【００１０】
この構成により、本発明は、人間に視覚させることができない偏光光の旋光度の調整と調整された偏光光の旋光度に基づく光の透過率の制御とを、ユーザの視覚位置との関係によって実行することができるとともに、第１画像を形成するための第１偏光光を用いて第２画像の潜像化と可視化を行うことができる。したがって、本発明は、ユーザの視覚位置に基づいて第２画像を不可視化及び可視化する可視化制御を行うことができるとともに、第１画像によって提供される所定の情報の外観上の意匠性の維持など第１画像の画像そのものを妨げることなく、第２画像によって所望するユーザのみに付加情報などの特定情報を提供することができる。
【００１１】
また、本発明は、潜像形成領域を透過する第１偏光光の旋光度を調整することによって第２画像の潜像化及び可視化を行うことができるので、第１偏光光における旋光度の調整を変化させることによって第２画像の情報を変更すること、または、当該潜像形成領域の第１偏光光の透過面内における位置を変更することによって第２画像の可視化位置を変更することができる。したがって、本発明は、所望するユーザのみに提供される特定情報としての第２画像の表示位置または表示内容を容易に変更することができる。
【００１２】
（２）また、本発明は、前記潜像化手段が、最背面に形成される第１透明電極と、最前面に形成される第２透明電極と、前記第１透明電極と前記第２透明電極に狭持される一対の第１配向層及び第２配向層と、前記第１配向層と前記第２配向層に狭持されるとともに、前記潜像形成領域に第２画像を潜像化するための液晶層と、を有し、前記液晶層が、前記画像データに基づく前記第１透明電極及び第２透明電極の制御に従って、前記潜像形成領域を透過する前記第１偏光光の旋光度を画素毎に調整し、前記第２画像を第２偏光光によって潜像化する構成を有している。
【００１３】
この構成により、本発明は、第１透明電極及び第２透明電極を用いて画素毎に液晶層を制御することのみによって、第１偏光光の旋光度を調整することができるので、技術的な複雑性を有することなく、第２画像を潜像化することができる。
【００１４】
（３）また、本発明は、前記提供手段を更に備え、前記提供手段が、背面から入光された光を前記第１偏光光に偏光するとともに、前記画像データとは異なる画像データに基づいて、前面に形成された所定の画像表示領域を構成する画素毎に、前記第１偏光光の透過率を制御し、前記画像表示領域に前記第１画像を表示する液晶表示パネルによって形成される構成を有している。
【００１５】
この構成により、本発明は、液晶表示パネルを用いて第１画像を表示させつつ、第２画像を潜像化するための基となる第１偏光光を潜像化手段に提供することができるので、簡易な構成によって第１画像の外観上の意匠性を損なうこと無く表示させつつ、第２画像の情報を付加することができる。
【００１６】
（４）また、本発明は、前記液晶表示パネルの背面に形成され、当該液晶表示パネルの背面に前記第１偏光光の基になる光を照射する照射手段を更に備える構成を有している。
【００１７】
この構成により、本発明は、十分な光量を有する光を液晶表示パネルに提供することによって第１偏光光の十分な光量を得ることができるとともに、第１視覚位置及び第２視覚位置における第１画像及び第２画像の明瞭化を図ることができる。
【００１８】
（５）また、本発明は、前記提供手段を更に備え、前記提供手段が、背面から入光される自然光を偏光して第１偏光光として前面から出力するとともに、背面にある所定領域の実景を、当該前面から前記第１画像として視覚可能に形成する自然光用偏光フィルタによって形成される構成を有している。
【００１９】
この構成により、本発明は、窓から視覚可能な背景など自然光を用いて視覚可能な実景を第１画像として用いることができるので、実景を利用しつつ、または、実景の鑑賞を妨げること無く、第２画像によって所望するユーザのみに当該実景に関する情報などの特定情報を提供することができる。
【００２０】
（６）また、本発明は、前記提供手段と、前記提供手段の背面に形成され、前記提供手段の前面から照射された光を反射させて前記提供手段の背面に入光させる反射手段と、を更に備え、前記提供手段が、背面から入光される反射光を偏光して第１偏光光として前記潜像化手段に提供する構成を有している。
【００２１】
この構成により、本発明は、システム上において提供手段の背面から第１偏光光の基となる光を照射若しくは入光させることができない場合であっても、提供手段の前面からの自然光などの照射光によって当該提供手段に第１偏光光の基となる光を提供することができる。
【００２２】
（７）また、本発明は、前記可視化手段が、前記第２視覚位置から撮像する撮像カメラによって形成されるとともに、前記可視化偏光フィルタが、前記撮像カメラの撮像面に形成される構成を有している。
【００２３】
この構成により、本発明は、可視化用偏光フィルタを備える撮像カメラに第１画像を撮像させることによって、第１画像とともに第２画像を視覚化することができるので、第１画像のみを視覚化すること又は第１画像及び第２画像の両画像を視覚化することを容易に切り替えることができる。また、本発明は、第２画像を画像データとしてユーザに取得させることができるので、第１画像に直接関連する情報を視覚させることだけでなく、通信機能を利用してＵＲＬなどのアクセス情報または２次元バーコードのような当該アクセス情報をコード化したコード情報など第２画像を新たな情報を取得するための情報として提供することができる。
【００２４】
（８）また、本発明は、前記潜像化手段が、前記潜像形成領域の前面に、複数の色が前記潜像形成領域の各画素に対応して配色されたカラーフィルタを有し、前記画素毎に調整された前記第１偏光光の旋光度と協働して可視化された際にカラー化される前記第２画像を潜像化する構成を有している。
【００２５】
この構成により、本発明は、第２画像をカラー化することができるので、様々な画像及び情報を第２画像として提供することができる。
【００２６】
（９）また、本発明は、前記第２画像が前記第１画像に表示された情報に関連する情報を有する画像である構成を有している。
【００２７】
この構成により、本発明は、第１画像によって提供されている情報の付加情報として第２画像を提供することができる。
【００２８】
（１０）また、本発明は、前記潜像化手段が、前記透過表示された第１画像を形成するための第１偏光光と、前記潜像化された第２画像を形成するための第２偏光光と、をそれぞれ円偏光に変換する第１の１／４波長板を有するとともに、前記可視化手段が、前記可視化用偏光フィルタに直線偏光された第１偏光光及び第２偏光光を入光させるために、前記円偏光に変換された第１偏光光及び第２偏光光をそれぞれ直線偏光に変換する第２の１／４波長板を有する構成をしている。
【００２９】
この構成により、本発明は、第１視覚位置から第２視覚位置の間においては、第１画像を形成する第１偏光光及び第２画像を形成する第２偏光光を円偏光させることができるので、第１偏光光及び第２偏光光の光強度の変化に耐性ができる。したがって、本発明は、潜像化手段が形成された位置から離れた位置に可視化手段が形成されたとしても、可視化手段によって明瞭に第１画像及び第２画像を透過表示及び重畳表示することができる。
【００３０】
（１１）また、本発明は、前記可視化手段が、ユーザによって携帯可能に構成されてもよい。
【００３１】
この構成により、本発明は、潜在化手段によって透過表示される第１画像を視覚可能な位置であれば、視覚位置を選ぶことなくいつでもユーザに第２画像を視覚させることができる。
【００３２】
（１２）また、本発明は、所定の画像領域を有する第１画像の一部の画像領域の光を用いて第２画像を潜像化させ、第１視覚位置では視覚不能に第２視覚位置では視覚可能に第２画像の可視化制御を行う画像可視化制御システムに用いるパネルにおいて、第１偏光光によって前記第１画像を視覚可能に提供する提供手段の前記第１視覚位置側の面である前面にかつ当該提供手段と前記第１視覚位置の間に形成され、前記第１偏光光を透過することによって前記提供手段に表示された第１画像を、前記提供手段と対向する面である背面と反対の面である前面に表示する液晶パネルであって、最背面に形成される第１透明電極と、最前面に形成される第２透明電極と、前記第１透明電極と前記第２透明電極に狭持される一対の第１配向層及び第２配向層と、前記第１配向層と前記第２配向層に狭持されるとともに、前記第１偏光光が透過する透過面に前記潜像化された第２画像を形成するための複数の画素からなる潜像形成領域を有し、当該潜像形成領域に背面から入光する前記第１偏光光の旋光度を制御する液晶層と、を備え、前記液晶パネルの前面にかつ当該液晶パネルと前記第２視覚位置の間に形成されるとともに前面にある前記第２視覚位置から前記第１画像が視覚可能に形成された可視化手段によって、前記第２画像を形成する第２偏光光の旋光度に基づいて当該第２画像を可視化して前記第１画像の一部の画像領域に重畳表示するために、前記液晶層が、所定の画像データに基づく前記第１透明電極及び第２透明電極の制御に従って、前記潜像形成領域に入光する前記第１偏光光の旋光度を画素毎に調整し、前記第２画像を第２偏光光によって潜像化する構成を有している。
【００３３】
この構成により、本発明は、人間に視覚させることができない偏光光の旋光度の調整と調整された偏光光の旋光度に基づく光の透過率の制御とを、ユーザの視覚位置との関係によって実行することができるとともに、第１画像を形成するための第１偏光光を用いて第２画像の潜像化と可視化を行うことができる。したがって、本発明は、ユーザの視覚位置に基づいて第２画像を不可視化及び可視化する可視化制御を行うことができるとともに、第１画像によって提供される所定の情報の外観上の意匠性の維持など第１画像の画像そのものを妨げることなく、第２画像によって所望するユーザのみに付加情報などの特定情報を提供することができる。
【００３４】
また、本発明は、潜像形成領域を透過する第１偏光光の旋光度を調整することによって第２画像の潜像化及び可視化を行うことができるので、第１偏光光における旋光度の調整を変化させることによって第２画像の情報を変更すること、または、当該潜像形成領域の第１偏光光の透過面内における位置を変更することによって第２画像の可視化位置を変更することができる。したがって、本発明は、所望するユーザのみに提供される特定情報としての第２画像の表示位置または表示内容を容易に変更することができる。
【発明の効果】
【００３５】
本発明は、ユーザの視覚位置に基づいて第２画像を不可視化及び可視化する可視化制御を行うことができるとともに、第１画像によって提供される所定の情報の外観上の意匠性の維持など第１画像の画像そのものを妨げることなく、第２画像によって所望するユーザのみに付加情報などの特定情報を提供することができる。また、本発明は、所望するユーザのみに提供される特定情報としての第２画像の表示位置または表示内容を容易に変更することができる。
【図面の簡単な説明】
【００３６】
【図１】本発明に係る画像表示システムの第１実施形態におけるシステム構成図であって液晶パネル及び携帯用電話機の分割斜視図を含む図である。
【図２】第１実施形態における第１画像、第２画像、液晶パネルに表示される画像及び携帯用電話機に表示される画像の一例である。
【図３】第１実施形態における第１偏光光と第２偏光光（潜像形成領域内の第１偏光光）の偏光方向の例を示す図である。
【図４】本発明に係る画像表示システムの第２実施形態におけるシステム構成図であって液晶パネル及び携帯用電話機の分割斜視図を含む図である。
【図５】第２実施形態における第１画像、第２画像、液晶パネルに表示される画像及び携帯用電話機に表示される画像の一例である。
【図６】本発明に係る画像表示システムの第３実施形態におけるシステム構成図であって液晶パネル及び携帯用電話機の分割斜視図を含む図である。
【発明を実施するための形態】
【００３７】
以下、本発明の各実施形態について、図面を参照しながら説明する。なお、以下に説明する実施形態は、液晶表示装置によって所定の情報（以下、「メイン情報」という。）に関する第１画像を表示している空間内の所定の視覚位置において、所望するユーザにのみにメイン情報に関連する特定情報（以下、「付加情報」ともいう。）を有する第２画像を可視化する画像表示システム（以下、単に「画像表示システム」という。）に本発明の画像可視化制御システム及び液晶パネルを適用した場合の実施形態である。また、本願の説明においては、偏光板または偏光フィルタなどの偏光手段を通過した光を「偏光光」と定義する。
【００３８】
＜第１実施形態＞
はじめに、図１〜図３の各図を用いて本発明に係る画像表示システムＳの第１実施形態について説明する。
【００３９】
［画像表示システム］
まず、図１及び図２を用いて本実施形態の画像表示システムＳの構成について説明する。なお、図１は、本実施形態の画像表示システムＳの構成を示すシステム構成図であって液晶パネル２００及び携帯用電話機３００の分割斜視図を含む図である。
【００４０】
本実施形態の画像表示システムＳは、図１に示すように、メイン情報となる第１画像ＩＭ１を表示する液晶表示装置１００と、メイン情報に関連する特定情報を有する第２画像ＩＭ２を潜像化する液晶パネル２００と、第２画像ＩＭ２を可視化して第１画像ＩＭ１とともに表示する撮像カメラ機能付き携帯用電話機（以下、単に「携帯用電話機」という。）３００と、を有している。なお、例えば、本実施形態の液晶表示装置１００は、本発明の提供手段及び液晶表示パネル１１０を構成し、液晶パネル２００は、本発明の液晶パネル２００を構成する。また、例えば、本実施形態の携帯用電話機３００は、本発明の可視化手段を構成する。
【００４１】
この画像表示システムＳは、液晶表示装置１００によって第１画像ＩＭ１を表示させるとともに、液晶パネル２００によってこの第１画像ＩＭ１を透過表示させつつ、液晶パネル２００によって人間には判別できない偏光光の旋光度の変化を用いて第１画像ＩＭ１の一部の領域に第２画像ＩＭ２を潜像化させるようになっている。また、この画像表示システムＳは、携帯用電話機３００に第１画像ＩＭ１を撮像させると、当該撮像することによって偏光光の旋光度を光の透過率に変換して第２画像ＩＭ２を視覚化し、視覚化された第２画像ＩＭ２が重畳表示された第１画像ＩＭ１を提供することができるようになっている。
【００４２】
例えば、この画像表示システムＳにおいては、液晶表示装置１００が図２（ａ）に示す広告情報を示す画像を第１画像ＩＭ１として表示し、図２（ｂ）に示す所定のマーカの画像を第２画像ＩＭ２として可視化制御する場合に、液晶パネル２００には、図２（ｃ）に示すように、第１画像ＩＭ１がそのまま透過表示されるものの、第２画像ＩＭ２は、潜像化されて不可視化されている。その一方、携帯用電話機３００において液晶パネル２００を撮像すると、当該携帯用電話機３００の表示パネル３４０には、図２（ｄ）に示すように、図２（ｂ）の第２画像ＩＭ２が図２（ｃ）における第１画像ＩＭ１に重畳表示される。
【００４３】
したがって、この画像表示システムＳは、第１画像ＩＭ１によって提供される商品の広告情報又はゲーム内容に関する情報などのメイン情報の外観上の意匠性を損なうことなく、第２画像ＩＭ２によって所望するユーザのみに特定情報を提供することができるようになっている。
【００４４】
また、本実施形態においては、第２画像ＩＭ２が携帯用電話機３００において明瞭に可視化されるために第１画像ＩＭ１の第２画像ＩＭ２が重畳表示される部分と当該第２画像のコントラスト比が大きくなるように、第１画像データ及び第２画像データを用いるようになっている。例えば、第１画像ＩＭ１の第２画像ＩＭ２が重畳表示される部分を白色で表示され、かつ、第２画像ＩＭ２が黒色で表示することが最適であるが、携帯電話機３００または携帯電話機３００を通してユーザが明瞭に第１画像及び第２画像を認識することができればこれに限られない。
【００４５】
なお、図１に示すように、液晶パネル２００の前面（液晶表示装置１００が形成された面と反対の面）に形成される領域であって、ユーザによって当該液晶パネル２００を直接視覚することができる領域（以下、「視覚領域」という。）Ａの領域内の位置を「第１視覚位置（Ｐ１）」といい、当該領域内であって、携帯用電話機３００を介して液晶パネル２００を視覚することができる位置を「第２視覚位置（Ｐ２）」という。また、第１視覚位置Ｐ１と第２視覚位置Ｐ２の前後位置関係は特に問題ではなく、携帯用電話機３００を介して液晶パネル２００を視覚することができる位置であれば、第１視覚位置Ｐ１の前（第１視覚位置Ｐ１より第２視覚位置Ｐ２が液晶パネル２００に近接する位置）であってもまたは第１視覚位置Ｐ１の後（第２視覚位置Ｐ２よりも第１視覚位置Ｐ１が液晶パネル２００に近接する位置）であってもよい。
【００４６】
[液晶表示装置]
次に、上述の図１を用いて本実施形態の液晶表示装置１００について説明する。
【００４７】
液晶表示装置１００は、複数の画素（以下、「ピクセル」ともいう。）から構成される所定の画像表示領域１０を有する液晶表示パネル１１０と、当該画像表示領域１０を背面から照射する照明ユニット１２０と、を有している。この液晶表示装置１００は、液晶表示パネル１１０に設けられた偏光フィルタによって照明ユニット１２０において照射された照射光を偏光しつつ、パーソナルコンピュータ（以下、「ＰＣ」ともいう。）１３０を介して外部から入力された画像データ（以下、「第１画像データ」という。）に基づいて、画素毎に当該偏光された光（以下、「第１偏光光」という。）の透過率を制御し、第１画像ＩＭ１を液晶表示パネル１１０（すなわち、画像表示領域１０）に表示するようになっている。
【００４８】
[液晶パネル]
次に、上述の図１及び図３を用いて本実施形態の液晶パネル２００の構成及び各部の動作を詳細について説明する。なお、図３は、本実施形態における第１偏光光と第２偏光光（潜像形成領域２１内の第１偏光光）の偏光方向の例を示す図である。
【００４９】
液晶パネル２００は、液晶表示装置１００の前面にかつ当該液晶表示装置１００と第１視覚位置Ｐ１の間に形成され、液晶表示装置１００に表示された第１画像ＩＭ１を形成する第１偏光光を透過しつつ、前面（すなわち、液晶表示装置１００と対向する面と反対の面）に透過表示する構成を有している。また、この液晶パネル２００は、複数の画素（ピクセル）から構成され、透過された第１偏光光によって第１画像ＩＭ１を表示するための液晶表示装置１００の画像表示領域１０と同等以上の画像表示領域２０と、この画像表示領域２０の一部であって第１偏光光の透過面上に第２画像ＩＭ２を潜像化して形成するための潜像形成領域２１と、を有している。例えば、液晶パネル２００は、上述のように、図２（ｂ）に示す第２画像ＩＭ２が図２（ｄ）に示すように重畳表示されるように、画像表示領域２０の左隅に潜像形成領域２１と、を有している。
【００５０】
具体的には、この液晶パネル２００は、第１偏光光が入光されて第１画像ＩＭ１を透過表示するとともに第２画像ＩＭ２を潜像化するパネル部２１０と、当該パネル部２１０を駆動する駆動制御部２２０と、を有している。
【００５１】
パネル部２１０は、一対のガラス基板（以下、「第１ガラス基板」及び「第２ガラス基板」という。）２１１、２１２と、一対のガラス基板間に狭持される一対の透明電極（以下、「第１透明電極」及び「第２透明電極」ともいう。）２１３、２１４と、一対の透明電極間に狭持される一対の配向層（以下、「第１配向層」及び「第２配向層」ともいう。）２１５、２１６と、一対の配向層間に狭持される液晶層２１７と、によって形成される。
【００５２】
特に、液晶層２１７は、第１配向層２１５及び第２配向層２１６の間において所定の角度（具体的には９０度）ねじられて配向されている液晶分子を有している。そして、この液晶層２１７は、潜像形成領域２１の領域以外を透過する第１偏光光については、ねじられて配向された液晶分子に沿って、液晶表示装置１００に表示された第１画像ＩＭ１の表示状態を維持しつつ旋光度が９０度となるように通過させる。一方、この液晶層２１７は、駆動制御部２２０に入力された第２画像データに基づく前記第１透明電極及び第２透明電極の制御に従って、入光された第１偏光光の透過面の一部である潜像形成領域２１を透過する第１偏光光の旋光度を画素毎に調整し、第２画像ＩＭ２を第２偏光光によって潜像化するようになっている。具体的に、この液晶層２１７は、第２画像ＩＭ２を潜像化させるために、第１偏光光を０度（第１偏光光が液晶層２１７に入光される角度）から９０度の範囲で旋光度を画素毎に調整するようになっている。
【００５３】
また、パネル部２１０は、列方向に沿って延伸するｍ列のデータ線（図示しない）と、図示しない行方向に沿って延伸するｎ行の走査線（図示しない）と、の交差部（すなわち画素）毎に液晶層２１７を制御し、駆動制御部２２０に入力された第２画像データによって選択された走査線およびデータ線からの信号に基づいて、第１透明電極及び第２透明電極を制御して各画素における第１偏光光の旋光度を個々に制御するようになっている。
【００５４】
したがって、例えば、上記の図２に示すように、潜像形成領域２１が画像表示領域２０の左隅に形成されている場合であって、液晶表示装置１００において表示された第１画像ＩＭ１における第１偏光光が図３（ａ）に示す方向に偏光されている場合には、液晶層２１７は、図３（ｂ）に示すように、画像表示領域２０の左隅の潜像形成領域２１を通過する第１偏光光においては、入力された第１偏光光の旋光度を基準に０度（携帯用電話機３００には黒として表示される旋光度）から最大９０度（携帯用電話機３００には第１画像がそのまま表示される（透過表示される）旋光度）に旋光するように旋光度を調整するようになっている。また、この場合において、液晶層２１７は、潜像形成領域２１の領域外を通過する第１偏光光においては、図３（ａ）（ｂ）に示すように、第１配向層２１５及び第２配向層２１６の作用により９０度に旋光させて透過させるようになっている。
【００５５】
すなわち、本実施形態においては、潜像形成領域２１の領域外を通過する第１偏光光においては、第１透明電極及び第２透明電極には電圧が印可されないので（すなわち、データ線及び走査線によって第１透明電極及び第２透明電極の電圧がＯＦＦとなるので）、液晶層２１７は駆動できずに、図３（ａ）（ｂ）に示すように９０度ねじられて配向している液晶分子に沿って第１偏光光を９０度旋光させるようになっている。一方、第２画像ＩＭ２は、潜像化して第２視覚位置Ｐ２において可視化するために、潜像形成領域２１の領域内を通過する第１偏光光においては、駆動制御部２２０に入力された第２画像データに基づいて、第１透明電極及び第２透明電極に電圧が印可されるので（すなわち、データ線及び走査線によって第１透明電極及び第２透明電極の電圧がＯＮとなるので）、図３（ａ）（ｂ）に示すように画素毎に液晶層２１７を個々に駆動させ、入力された第１偏光光の旋光度を基準に旋光度が０度から９０度の範囲で調整されるようになっている。
【００５６】
なお、図３（ｂ）においては、第２画像ＩＭ２は、旋光度が９０度の部分（透過）と旋光度が０度の部分（遮断）とから形成された単純な画像であるが、勿論、２次元バーコードが形成された第２画像ＩＭ２または所定の階調によってグレースケールを有する第２画像ＩＭ２が第２画像データに基づいて形成されてもよい。
【００５７】
また、液晶層２１７の各画素は、第１透明電極及び第２透明電極によって駆動制御されるので、第２画像ＩＭ２を潜像化させる潜像形成領域２１は、上記の左隅に固定されることはなく、適宜、第１偏光光が透過する液晶層２１７内の領域であればどの領域であってもよいし、潜像化する画像の内容も変化させることができるようになっている。
【００５８】
駆動制御部２２０は、上記の図１に示すように、複数のデータ線を介して各画素に該当する液晶層２１７を制御するデータ線駆動回路２２１と、複数の走査線を介して各画素に該当する液晶層２１７を制御する走査線駆動回路２２２と、パネル部２１０に表示する第２画像データを一時的に記憶するメモリ回路２２３と、各部を制御する制御回路２２４と、を備えている。
【００５９】
データ線駆動回路２２１は、制御回路２２４の制御の下、ｍ列の複数のデータ線を有し、入力された第２画像データに基づいて該当するデータ線を選択するようになっている。また、走査線駆動回路２２２は、制御回路２２４の制御の下、ｎ行の複数の走査線を有し、入力された第２画像データに基づいて該当する走査線を選択するようになっている。
【００６０】
制御回路２２４は、上記の各部を統括制御するようになっている。特に、この制御回路２２４は、第２画像データを、各画素の液晶層２１７における旋光度を制御するためのマトリクスデータに変換し、当該変換されたマトリクスデータに基づいてデータ線駆動回路２２１及び走査線駆動回路２２２を制御するようになっている。また、メモリ回路２２３には、パネル部２１０に表示するための第２画像データが外部から制御回路２２４を介して供給され、当該供給された第２画像データが内部に記憶される。
【００６１】
[携帯用電話機]
次に、上述の図１を用いて本実施形態の携帯用電話機３００について説明する。
【００６２】
携帯用電話機３００は、液晶パネル２００の前面にかつ当該液晶パネル２００と前記第２視覚位置Ｐ２の間に形成されるようにユーザによって使用される。また、この携帯用電話機３００は、筐体３１０と、背面（すなわち、液晶パネル２００と対向する面）にカメラ用偏光フィルタ３２０と、カメラ用偏光フィルタ３２０を介して液晶パネル２００の画像表示領域２０を撮像するためのカメラユニット３３０と、前面（すなわち、液晶パネル２００と対向する面と反対の面）にカメラユニット３３０によって撮像された液晶パネル２００の画像表示領域２０を表示する表示パネル３４０と、を有している。特に、この携帯用電話機３００は、液晶パネル２００に表示された第１画像ＩＭ１を表示するとともに、潜像化された第２画像ＩＭ２を可視化して当該第１画像ＩＭ１の一部の領域に重畳表示するようになっている。
【００６３】
すなわち、この携帯用電話機３００は、カメラ用偏光フィルタ３２０によって前記第１偏光光を透過させつつ、前記画素毎に調整された第２偏光光の旋光度に基づいて前記第２偏光光の透過率を制御し、潜像化された第２画像ＩＭ２を可視化して第１画像ＩＭ１の一部の領域に重畳表示させるようになっている。また、このカメラ用偏光フィルタ３２０は、固定されて形成されていてもよいし、着脱可能に形成されていてもよい。すなわち、この携帯用電話機３００においては、カメラ用偏光フィルタ３２０を第１偏光光と平行となるように（第１偏光光を透過する方向に）配置することによって、第１画像ＩＭ１と第２画像ＩＭ２を可視化することができるようになっている。
【００６４】
[作用効果]
以上、本実施形態の画像表示システムＳは、視覚位置との関係で偏光光の旋光度の調整とその旋光度によって透過率を制御することによって、第２画像ＩＭ２の不可視化と可視化を制御することができるので、簡易な構成により第２画像ＩＭ２の可視化制御を実現することができるとともに、第１画像ＩＭ１によって提供される所定の情報の外観上の意匠性を損なうことなく、第２画像ＩＭ２によって所望するユーザのみに付加情報などの特定情報を提供することができる。
【００６５】
また、この画像表示システムＳは、潜像形成領域２１を透過する第１偏光光の旋光度を調整することによって第２画像ＩＭ２を潜像化することができるので、第１偏光光における旋光度の調整を変化させることによって、または、当該潜像形成領域２１の第１偏光光の透過面内における位置を変更することによって、第２画像ＩＭ２の情報を変更すること及びこの第２画像ＩＭ２の可視化位置を変更することができる。したがって、この画像表示システムＳは、所望するユーザのみに提供される特定情報としての第２画像ＩＭ２の表示位置または表示内容を容易に変更することができる。
【００６６】
また、この画像表示システムＳは、液晶表示装置１００によって第１偏光光の基となる光を提供することができるので、各視覚位置における第１画像ＩＭ１及び第２画像ＩＭ２の明瞭化を図ることができる。
【００６７】
また、この画像表示システムＳは、カメラ用偏光フィルタ３２０を備える撮像カメラに第１画像ＩＭ１を撮像させることによって第１画像ＩＭ１とともに第２画像ＩＭ２をも視覚化することもできるので、第１画像ＩＭ１のみの視覚化又は第１画像ＩＭ１及び第２画像ＩＭ２の両画像の視覚化を容易に切り替えさせることができる。
【００６８】
また、この画像表示システムＳは、第２画像ＩＭ２を画像データとしてユーザに取得させることができるので、第１画像ＩＭ１に直接関連する情報を視覚させることだけでなく、通信機能を利用してＵＲＬなどのアクセス情報または２次元バーコードのような当該アクセス情報をコード化したコード情報など第２画像ＩＭ２を新たな情報を取得するための情報として提供することができる。
【００６９】
[変形例]
次に、本実施形態の画像表示システムＳにおける変形例を説明する。
【００７０】
本実施形態では、第１偏光光からなる第１画像ＩＭ１を表示するために液晶表示装置１００を用いているが、ＣＲＴ（Ｃａｔｈｏｄｅ  Ｒａｙ  Ｔｕｂｅ）又は有機ＥＬ（Ｅｌｅｃｔｒｏ−Ｌｕｍｉｎｅｓｃｅｎｃｅ）表示装置などの表示装置を用いつつ、偏光フィルタなどによって表示された第１偏光光からなる第１画像ＩＭ１を液晶パネル２００に提供することができればよい。
【００７１】
また、本実施形態では、第２画像ＩＭ２を可視化する手段として撮像カメラ機能を有する携帯用電話機を用いているが、携帯可能な撮像カメラ装置その他の電子機器または第１画像ＩＭ１及び第２画像ＩＭ２を表示することが可能なパネルなど、偏光フィルタを介して液晶パネル２００の画像を視覚化することが可能なものであればよい。
【００７２】
さらに、本実施形態では、携帯用電話機３００に代えて所定の位置に固定された偏光フィルタを有するカメラ装置または液晶パネル２００の表示画面を視覚可能な偏光フィルタのみでもよい。この場合においては、偏光フィルタを有する撮像カメラ機能付き携帯用電話機３００を有していない場合であっても、所望すれば何人も第２画像ＩＭ２を視覚することができる。
【００７３】
また、本実施形態の液晶パネル２００において、第２ガラス基板２１２と第２透明電極２１４の間に各画素に対応して配色されたカラーフィルタを有してもよい。この場合は、第２画像ＩＭ２をカラー化することができるので、種々の画像又は情報を第２画像ＩＭ２として提供することができる。
【００７４】
また、本実施形態は、液晶パネル２００の前面に透過表示された第１画像ＩＭ１を形成するための第１偏光光と、前記潜像化された第２画像ＩＭ２を形成するための第２偏光光と、をそれぞれ円偏光に変換する第１の１／４波長板を有するとともに、携帯用電話機３００のカメラ用偏光フィルタ３２０の液晶パネル２００側の面に、円偏光に変換された第１偏光光及び第２偏光光をそれぞれ直線偏光に変換する第２の１／４波長板を有してもよい。具体的には、図１において、第２透明電極２１４と第２ガラス基板２１２の間に１／４波長板を配置し、カメラ用偏光フィルタ３２０の代わりに１／４波長板を使用することとなる。こうすることにより、第１視覚位置Ｐ１から第２視覚位置Ｐ２の間においては、第１画像ＩＭ１を形成する第１偏光光及び第２画像ＩＭ２を形成する第２偏光光を円偏光させることができるので、第１偏光光及び第２偏光光の光強度の変化に耐性ができるとともに、第１画像ＩＭ２及び第２画像ＩＭ２を明瞭に提供することができる。また、この場合においては、携帯用電話機３００を使用し、どの角度で液晶パネル２００を撮像しても、第１画像ＩＭ１および第２画像ＩＭ２の明・暗が変化しなくなるので利便性がよくなる。
【００７５】
＜第２実施形態＞
次に、図４及び図５の各図を用いて本発明に係る画像表示システムＳの第２実施形態について説明する。なお、図４は、本実施形態の画像表示システムＳの構成を示すシステム構成図であり、図５は、本実施形態における第１画像、第２画像、液晶パネルに表示される画像及び携帯用電話機に表示される画像の一例である。
【００７６】
本実施形態は、第１実施形態における第１画像ＩＭ１を表示する液晶表示装置１００に代えて、窓ガラスＷの背面の実景を第１画像ＩＭ１として前面から視覚可能に形成するとともに自然光を偏光して第１偏光光を出力する偏光フィルム２５０を備える点に特徴があり、その他の構成は第１実施形態と同様である。なお、本実施形態の各部材において、第１実施形態と同一の部材については、同一の番号を付してその説明を省略する。
【００７７】
[画像表示システム]
まず、図４及び図５を用いて本実施形態の画像表示システムＳについて説明する。
【００７８】
本実施形態の画像表示システムＳは、図４に示すように、窓ガラスＷに着脱可能に設置され、第１画像ＩＭ１として当該窓ガラスＷの背面にある背景を透過しつつ、当該背面から入光する光を偏光する偏光フィルム２５０と、背景に関連ある特定情報を有する第２画像ＩＭ２を潜像化する液晶パネル２００と、第２画像ＩＭ２を可視化して第１画像ＩＭ１とともに表示する携帯用電話機３００と、を有している。なお、例えば、本実施形態の偏光フィルム２５０は、本発明の提供手段を構成する。
【００７９】
本実施形態の画像表示システムＳは、偏光フィルム２５０によって、入光された光を偏光させつつ、液晶パネル２００によって、窓ガラスＷから視覚可能な背景の画像（以下、「背景画像」という。）の一部の領域に第２画像ＩＭ２を潜像化させるようになっている。また、この画像表示システムＳは、携帯用電話機３００によって第１画像ＩＭ１を撮像させると、当該撮像することによって偏光光の旋光度を光の透過率に変換して第２画像ＩＭ２を視覚化し、視覚化された第２画像ＩＭ２が重畳表示された背景画像を提供することができるようになっている。
【００８０】
例えば、図５（ａ）に示す背景画像が窓ガラスＷから視覚できるとともに、図５（ｂ）に示す所定のマーカの画像を第２画像ＩＭ２として可視化制御する場合に、液晶パネル２００には、図５（ｃ）に示すように、背景画像がそのまま透過表示されるものの、第２画像ＩＭ２は、潜像化されて不可視化されている。その一方、携帯用電話機３００において液晶パネル２００を撮像すると、当該携帯用電話機３００の表示パネル３４０には、図５（ｄ）に示すように、図５（ｂ）の第２画像ＩＭ２が図５（ｄ）における背景画像に重畳表示される。
【００８１】
したがって、この画像表示システムＳは、窓ガラスＷから視覚可能な背景としての画像を妨げることなく、第２画像ＩＭ２によって所望するユーザのみに特定情報を提供することができるようになっている。
【００８２】
[作用効果]
以上、本実施形態の画像表示システムＳは、第１実施形態の効果に加えて、窓ガラスＷから視覚可能な背景など自然光を用いて視覚可能な実景を第１画像ＩＭ１として用いることができるので、実景を利用しつつ、かつ、実景の鑑賞を妨げること無く、第２画像ＩＭ２によって所望するユーザのみに当該実景に関する情報などの特定情報を提供することができる。
【００８３】
[変形例]
次に、本実施形態の画像表示システムＳにおける変形例を説明する。
【００８４】
本実施形態では、第１実施形態と同様に、第２画像ＩＭ２を可視化する手段として撮像カメラ機能を有する携帯用電話機を用いているが、携帯可能な撮像カメラ装置その他の電子機器または第１画像ＩＭ１及び第２画像ＩＭ２を表示することが可能なパネルなど、偏光フィルム２５０を介して液晶パネル２００に表示された画像を視覚化することが可能なものであればよい。
【００８５】
また、本実施形態では、第１実施形態と同様に、第２画像ＩＭ２を可視化する手段として撮像カメラ機能を有する携帯用電話機を用いているが、携帯可能な撮像カメラ装置その他の電子機器または第１画像ＩＭ１及び第２画像ＩＭ２を表示することが可能なパネルなど、偏光フィルタを介して液晶パネル２００の画像を視覚化することが可能なものであればよい。
【００８６】
また、本実施形態は、第１実施形態と同様に、液晶パネル２００の前面に透過表示された第１画像ＩＭ１を形成するための第１偏光光と、前記潜像化された第２画像ＩＭ２を形成するための第２偏光光と、をそれぞれ円偏光に変換する第１の１／４波長板を有するとともに、携帯用電話機３００のカメラ用偏光フィルタ３２０の液晶パネル２００側の面に、円偏光に変換された第１偏光光及び第２偏光光をそれぞれ直線偏光に変換する第２の１／４波長板を有してもよい。具体的には、図４において、第２透明電極２１４と第２ガラス基板２１２の間に１／４波長板を配置し、カメラ用偏光フィルタ３２０の代わりに１／４波長板を使用することとなる。こうすることにより、第１視覚位置Ｐ１から第２視覚位置Ｐ２の間においては、第１画像ＩＭ１を形成する第１偏光光及び第２画像ＩＭ２を形成する第２偏光光を円偏光させることができるので、第１偏光光及び第２偏光光の光強度の変化に耐性ができるとともに、第１画像ＩＭ１及び第２画像ＩＭ２を明瞭に提供することができる。また、この場合においては、携帯用電話機３００を使用し、どの角度で液晶パネル２００を撮像しても、第１画像ＩＭ１および第２画像ＩＭ２の明・暗が変化しなくなるので利便性がよくなる。
【００８７】
＜第３実施形態＞
次に、図６を用いて本発明に係る画像表示システムＳの第３実施形態について説明する。なお、図６は、本実施形態の画像表示システムＳの構成を示すシステム構成図である。
【００８８】
本実施形態は、第１実施形態における照明ユニット１２０を有する液晶表示装置１００に代えて反射板４２０を有し、外光を反射させて第１画像を表示する液晶表示装置４００を用いる点に特徴があり、その他の点は第１実施形態と同様である。なお、本実施形態の各部材において、第１実施形態と同一の部材については、同一の番号を付してその説明を省略する。
【００８９】
[画像表示システム]
まず、図６を用いて本実施形態の画像表示システムＳについて説明する。
【００９０】
本実施形態の画像表示システムＳは、図６に示すように、前面（液晶パネル２００が携帯用電話機３００と対向している面）から入光された外光（自然光）を第１偏光光に偏光するとともに反射させて、当該第１偏光光を用いて第１画像を提供する液晶表示装置４００と、第１画像ＩＭ１に関連ある特定情報を有する第２画像ＩＭ２を潜像化する液晶パネル２００と、第２画像ＩＭ２を可視化して第１画像ＩＭ１とともに表示する携帯用電話機３００と、を有している。なお、例えば、本実施形態の液晶表示装置４００は、本発明の提供手段を構成し、反射板４２０は、本発明の反射手段を構成する。
【００９１】
本実施形態の画像表示システムＳは、液晶表示装置４００によって前面から入光された外光を第１偏光光に偏光させつつ、偏光された第１偏光光を反射させ、当該反射された第１偏光光を用いて第１画像ＩＭ１を表示させるようになっている。また、この画像表示システムＳは、液晶パネル２００によってこの第１画像ＩＭ１を透過表示させつつ、液晶パネル２００によって人間には判別できない偏光光の旋光度の変化を用いて第１画像ＩＭ１の一部の領域に第２画像ＩＭ２を潜像化させるようになっている。そして、この画像表示システムＳは、携帯用電話機３００によって第１画像ＩＭ１を撮像させると、当該撮像することによって偏光光の旋光度を光の透過率に変換して第２画像ＩＭ２を視覚化し、視覚化された第２画像ＩＭ２が重畳表示された第１画像ＩＭ１を提供することができるようになっている。
【００９２】
[液晶表示装置]
次に、上記図６を用いて本実施形態の液晶表示装置４００について説明する。
【００９３】
液晶表示装置４００は、特殊な偏光フィルタを有する液晶表示パネル４１０と、前面からの光を反射させる反射板４２０と、を有している。特に、液晶表示パネル４１０は、その背面（液晶パネル２００側の反対面であって反射板４２０の前面）に例えば特殊な形状が形成され、第１偏光光が多くの光量を有するように自然光を透過しつつ当該自然光を第１偏光光に偏光する偏光フィルムを有している。例えば、この偏光フィルムには、自然光を反射板４２０に向けて透過する場合に、当該自然光の種々の振動方向を回転させて多くの光が同一の振動方向（すなわち、透過可能な第１偏光光）となるように、前面に所定の形状を有する多数の微細な突起が形成されるようになっている。そして、この液晶表示装置４００は、反射板４２０によって反射された第１偏光光を用いて、ＰＣ１３０を介して外部から入力された第１画像データに基づいて、画素毎に当該第１偏光光の透過率を制御し、第１画像ＩＭ１を液晶表示パネル４１０（すなわち、画像表示領域１０）に表示するようになっている。
【００９４】
なお、本実施形態の液晶表示装置４００において、液晶表示パネル４１０によって前面から入光された自然光を第１偏光光に偏光し、かつ、反射板４２０によって第１偏光光を反射させて第１画像を表示するようになっているが、前面から入光された自然光を第１偏光光に偏光しつつ、背面から前面に向けて反射することができれば、この構成には限られない。
【００９５】
[作用効果]
以上、本実施形態の画像表示システムＳは、第１実施形態と同様に、視覚位置との関係で偏光光の旋光度の調整とその旋光度によって透過率を制御することによって、第２画像ＩＭ２の不可視化と可視化を制御することができるので、簡易な構成により第２画像ＩＭ２の可視化制御を実現することができるとともに、第１画像ＩＭ１によって提供される所定の情報の外観上の意匠性を損なうことなく、第２画像ＩＭ２によって所望するユーザのみに付加情報などの特定情報を提供することができる。
【００９６】
また、本実施形態の画像表示システムＳは、システム上において偏光フィルム２５０の背面から第１偏光光の基となる光を照射若しくは入光させることができない場合であっても、偏光フィルム２５０の前面からの照射光によって当該提供手段に第１偏光光の基となる光を提供することができる。
【００９７】
[変形例]
次に、本実施形態の画像表示システムＳにおける変形例を説明する。
【００９８】
本実施形態の画像表示システムＳにおいて、液晶表示パネル４００を除いて反射板４２０を備える構成とすることも可能である。この場合、反射板４２０と液晶パネル２００との間に偏光フィルムが必要となる。前面から入光された自然光が偏光フィルムを通過することによって偏光され、反射板４２０で反射させることで第１偏光光となり、この第１偏光光が第１画像ＩＭ１を表示形成させることになる。反射板４２０は、背面から前面に向けて反射させることが出来れば良いので、当該反射板４２０を壁の壁紙などの装飾部分または絵画、写真などの図画を用いて形成することもできる。このようにすると、これらの装飾部分または図画が第１画像ＩＭ１となり、第２画像ＩＭ２を潜像化させて重畳表示をさせることができる。すなわち、画像表示システムＳを装飾部分または図画に応用させれば、それらの鑑賞を妨げること無く、第２画像ＩＭ２によって所望するユーザのみに当該装飾部分または図画に関する情報などの特定情報を提供することができるようになる。
【００９９】
本実施形態では、第２実施形態と同様に、第２画像ＩＭ２を可視化する手段として撮像カメラ機能を有する携帯用電話機３００を用いているが、携帯可能な撮像カメラ装置その他の電子機器または第１画像ＩＭ１及び第２画像ＩＭ２を表示することが可能なパネルなど、偏光フィルム２５０を介して液晶パネル２００に表示された画像を視覚化することが可能なものであればよい。
【０１００】
また、本実施形態では、第２実施形態と同様に、携帯用電話機３００に代えて所定の位置に固定された偏光フィルム２５０を有するカメラ装置または偏光フィルム２５０でもよい。この場合においては、偏光フィルム２５０を有する撮像カメラ機能付き携帯用電話機３００を有していない場合であっても、所望すれば何人も第２画像ＩＭ２を視覚することができる。
【０１０１】
また、本実施形態は、第２実施形態と同様に、液晶パネル２００の前面に透過表示された第１画像ＩＭ１を形成するための第１偏光光と、前記潜像化された第２画像ＩＭ２を形成するための第２偏光光と、をそれぞれ円偏光に変換する第１の１／４波長板を有するとともに、携帯用電話機３００のカメラ用偏光フィルタ３２０の液晶パネル２００側の面に、円偏光に変換された第１偏光光及び第２偏光光をそれぞれ直線偏光に変換する第２の１／４波長板を有してもよい。具体的には、図６において、第２透明電極２１４と第２ガラス基板２１２の間に１／４波長板を配置し、カメラ用偏光フィルタ３２０の代わりに１／４波長板を使用することとなる。こうすることにより、第１視覚位置Ｐ１から第２視覚位置Ｐ２の間においては、第１画像ＩＭ１を形成する第１偏光光及び第２画像ＩＭ２を形成する第２偏光光を円偏光させることができるので、第１偏光光及び第２偏光光の光強度の変化に耐性ができるとともに、第１画像ＩＭ１及び第２画像ＩＭ２を明瞭に提供することができる。また、この場合においては、携帯用電話機３００を使用し、どの角度で液晶パネル２００を撮像しても、第１画像ＩＭ１および第２画像ＩＭ２の明・暗が変化しなくなるので利便性がよくなる。
【産業上の利用可能性】
【０１０２】
本発明の画像表示システムＳは、商品の陳列や街頭広告の提供時に、アーケードゲームによる所定の情報の提供、または、観光スポットその他の背景を閲覧させるような場所において用いられる。
【符号の説明】
【０１０３】
１０、２０  …  画像表示領域
２１  …  潜像形成領域
１００  …  液晶表示装置
１１０、４１０  …  液晶表示パネル
１２０  …  照明ユニット
１３０  …  パーソナルコンピュータ
２００  …  液晶パネル
２１０  …  パネル部
２１１  …  第１ガラス基板
２１２  …  第２ガラス基板
２１３  …  第１透明電極
２１４  …  第２透明電極
２１５  …  第１配向層
２１６  …  第２配向層
２１７  …  液晶層
２２０  …  駆動制御部
２２１  …  データ線駆動回路
２２２  …  走査線駆動回路
２２３  …  メモリ回路
２２４  …  制御回路
２５０  …  偏光フィルム
３００  …  携帯用電話機
３１０  …  筐体
３２０  …  カメラ用偏光フィルタ
３３０  …  カメラユニット
３４０  …  表示パネル
４２０  …  反射板
【図１】
2011145550.tif 000003
【図２】
2011145550.tif 000004
【図３】
2011145550.tif 000005
【図４】
2011145550.tif 000006
【図５】
2011145550.tif 000007
【図６】
2011145550.tif 000008